(57)【要約】      （修正有）【課題】取り出したいカードを容易に取り出すことができると共に多数のカードを収容しても財布の厚みが厚くなるのを抑えることができるジャバラ状カード収容部を設けた財布を提供する。【解決手段】ジャバラ状カード収容部を設けた財布１０の財布ケース体１２の内部には財布本体２４が配設されている。この財布本体２４の一側部には第１札入部２６が設けられ、財布本体２４の他端部にも第２札入部２８が設けられている。第１札入部２６と第２札入部２８の間にはジャバラ状カード収容体３０が配設されている。ジャバラ状カード収容体３０の両側部にはジャバラ状マチ部３２が形成されている。ジャバラ状カード収容体３０にはカードを収容するジャバラ状カード収容部３４がハニカム状に形成されている。【選択図】図１
0003162467.tif 000002
【実用新案登録請求の範囲】
【請求項１】
財布ケース体折曲部を介して第１財布ケース部と第２財布ケース部が連続形成された財布ケース体と、この財布ケース体に内設されると共に前記第１財布ケース部と第２財布ケース部の間に設けられた財布本体と、この財布本体を構成する札入部と、この札入部と共に前記財布本体を構成するジャバラ状カード収容体と、このジャバラ状カード収容体の両側部に形成されたジャバラ状マチ部と、前記ジャバラ状カード収容体にハニカム状に形成されたジャバラ状カード収容部と、を有してなることを特徴とするジャバラ状カード収容部を設けた財布。
【請求項２】
財布ケース体折曲部を介して第１財布ケース部と第２財布ケース部が連続形成された財布ケース体と、この財布ケース体に内設されると共に前記第１財布ケース部と第２財布ケース部の間に設けられた財布本体と、この財布本体を構成すると共に財布本体の一端部に形成された第１札入部と、前記財布本体を構成すると共に財布本体の他端部に形成された第２札入部と、前記第１札入部と第２札入部の間に配設されて第１札入部、第２札入部と共に前記財布本体を構成するジャバラ状カード収容体と、このジャバラ状カード収容体の両側部に形成されたジャバラ状マチ部と、前記ジャバラ状カード収容体にハニカム状に形成されたジャバラ状カード収容部と、を有してなることを特徴とするジャバラ状カード収容部を設けた財布。
【考案の詳細な説明】
【技術分野】
【０００１】
本考案は、財布に関し、詳しくは財布の内部にジャバラ状カード収容部を複数設けたジャバラ状カード収容部を設けた財布に関する。
【背景技術】
【０００２】
カード社会といわれている現代社会においては多岐の分野にわたりクレジットカード、プリペードカード、ポイントカード、図書カード、診察券等の各種カードが発行されている。
このため、現代人の多くは一人一人が多数のカードを所持、使用しているのが現状である。
このため、紙幣や貨幣等を収容する財布に前記カードを収容するカード収容部を設けた財布が提案されている（特許文献１）。
しかし、従来のカード収容部を設けた財布は複数のカードを一つの収容部に収容してしまうタイプやカードを一枚毎にフィットした状態で収容部に収容してしまうタイプのものである。
このため、複数のカードを一つの収容部に収容するタイプのカード収容部を設けた財布では色々なカードが一つの収容部に混在してしまうため、カードを取り出す場合に必要なカードをすばやく取り出すことが困難であると共にカードの管理が煩雑になる。
また、カードをカード毎に収容部に収容するタイプのカード収容部を設けた財布ではカードがフィットした状態で収容部に収容されるので、カードを収容し難かったりカードを取り出し難かったりという不具合がある。
さらに、多数のカードを収容するとカードが重なり合って財布の厚みが厚くなるという不具合がある。
【先行技術文献】
【特許文献】
【０００３】
【特許文献１】特開２００１−２３８７１４公報
【考案の概要】
【考案が解決しようとする課題】
【０００４】
本考案は、上記事実に鑑みなされたものであり、多数のカードの中から取り出したいカードを容易に摘んで取り出すことができると共に多数のカードを収容しても財布の厚みが厚くなるのを抑えることができるジャバラ状カード収容部を設けた財布を提供するものである。
【課題を解決するための手段】
【０００５】
請求項１の考案は、財布ケース体折曲部を介して第１財布ケース部と第２財布ケース部が連続形成された財布ケース体と、この財布ケース体に内設されると共に前記第１財布ケース部と第２財布ケース部の間に設けられた財布本体と、この財布本体を構成する札入部と、この札入部と共に前記財布本体を構成するジャバラ状カード収容体と、このジャバラ状カード収容体の両側部に形成されたジャバラ状マチ部と、前記ジャバラ状カード収容体にハニカム状に形成されたジャバラ状カード収容部と、を有してなることを特徴としている。
請求項２の考案は、財布ケース体折曲部を介して第１財布ケース部と第２財布ケース部が連続形成された財布ケース体と、この財布ケース体に内設されると共に前記第１財布ケース部と第２財布ケース部の間に設けられた財布本体と、この財布本体を構成すると共に財布本体の一端部に形成された第１札入部と、前記財布本体を構成すると共に財布本体の他端部に形成された第２札入部と、前記第１札入部と第２札入部の間に配設されて第１札入部、第２札入部と共に前記財布本体を構成するジャバラ状カード収容体と、このジャバラ状カード収容体の両側部に形成されたジャバラ状マチ部と、前記ジャバラ状カード収容体にハニカム状に形成されたジャバラ状カード収容部と、を有してなることを特徴としている。
【考案の効果】
【０００６】
本考案のジャバラ状カード収容部を交設けた財布は、カードはハニカム状に形成されたジャバラ状カード収容部の厚み方向中央部に収容されるのでカードを収容したり取り出したりする場合は他のカードに邪魔されずに収容したり取り出したりすることができるという優れた効果を有する。
本考案のジャバラ状カード収容部を設けた財布は、ハニカム状にジャバラ状カード収容部が形成されているので多数のカードを収容してもジャバラ状カード収容部を設けた財布の厚みが厚くなるのを抑えることができるという優れた効果を有する。
【図面の簡単な説明】
【０００７】
【図１】第１実施例のジャバラ状カード収容部を設けた財布を開いた状態の全体斜視図である。
【図２】第１実施例のジャバラ状カード収容部を設けた財布にカードを収容して開いた状態の全体斜視図である。
【図３】第１実施例のジャバラ状カード収容部を設けた財布を閉じた状態の全体斜視図である。
【図４】第２実施例のジャバラ状カード収容部を設けた財布を開いた状態の全体斜視図である。
【考案を実施するための形態】
【０００８】
考案を実施するために最良の形態の例として以下のような実施例を示す。
【実施例１】
【０００９】
図１〜図３には本考案に係るジャバラ状カード収容部を設けた財布の第１実施例が示されている。
図３に示されるように、ジャバラ状カード収容部を設けた財布１０を構成する財布ケース体１２は財布ケース体折曲部１４を介して第１財布ケース部１６と第２財布ケース部１８が連続形成されている。この第１財布ケース部１６と第２財布ケース部１８の３辺にはファスナー２０が取り付けられている。従って、ファスナー２０のファスナースライダー２２をスライドさせることにより、前記財布ケース体１２を開閉できるようになっている。
図１に示されるように、前記財布ケース体１２の内部には財布ケース体１２と共にジャバラ状カード収容部を設けた財布１０を構成する財布本体２４が配設されている。この財布本体２４の一側部には紙幣等を収容する第１札入部２６が設けられ、財布本体２４の他端部にも紙幣等を収容する第２札入部２８が設けられている。
この第１札入部２６の第１側部２６Ａは前記第１財布ケース部１６と縫製や接着等の適宜手段で固定されている。また、第２札入部２８の第１側部２８Ａは前記第２財布ケース部１８と縫製や接着等の適宜手段で固定されている。
前記第１札入部２６と第２札入部２８の間には第１札入部２６、第２札入部２８と共に前記財布本体２４を構成するジャバラ状カード収容体３０が配設されている。このジャバラ状カード収容体３０の一側部３０Ａは前記第１札入部２６の第２側部２６Ｂと縫製や接着等の適宜手段で固定されている。また、前記ジャバラ状カード収容体３０の他側部３０Ｂは前記第２札入部２８の第２側部２８Ｂと縫製や接着等の適宜手段で固定されている。
前記ジャバラ状カード収容体３０の両側部にはジャバラ状マチ部３２がそれぞれ形成されている。従って、前記ジャバラ状カード収容体３０を厚み方向（図１矢印Ａ方向）に広げたり閉じたりすることができるようになっている。
図１及び図２に示されるように、前記ジャバラ状カード収容体３０にはジャバラ状カード収容部３４がハニカム状に形成されている。即ち、このジャバラ状カード収容部３４は厚み方向（図１矢印Ａ方向）に連続して設けられている。また、これらジャバラ状カード収容部３４はジャバラ状カード収容体３０の幅方向（図１矢印Ｂ方向）に複数列（実施例では３列）になって設けられているが、ジャバラ状カード収容体３０の幅方向に隣り合うジャバラ状カード収容部３４とは互いに対応しないように形成されている。
また、図２に示されるように、ジャバラ状カード収容部３４に収容されるカード１（図２に想像線で示す）はジャバラ状カード収容部３４の厚み方向中央部に収容される。この結果、ジャバラ状カード収容部３４に収容されたカード１は厚み方向及び幅方向において他のカード１と間隔を持って収容される。
図３に示されるように、前記第２財布ケース部１８の外側面にはポケット３６が形成されている。
このポケット３６の開口部にはファスナー３８が設けられファスナースライダー４０によってポケット３６の開口部を開閉できるようになっている。
【００１０】
次に、第１実施例のジャバラ状カード収容部を設けた財布１０の作用について説明する。
ジャバラ状カード収容部を設けた財布１０にカード１を入れる場合はファスナースライダー２２をスライドさせて財布ケース体１２を開ける。
そして、前記財布ケース体１２の第１財布ケース部１６と第２財布ケース部１８を大きく開けると、図１、図２に示されるように扇状に開いて第１札入部２６、第２札入部２８、ジャバラ状カード収容部３４が大きく開く。
従って、ハニカム状に形成された前記ジャバラ状カード収容部３４に収容されるカード１同士の間には間隔が設けられるのでジャバラ状カード収容部３４に収容されているカード１を指で摘む場合に他のカード１に邪魔されることなく取り出したいカード１を摘んで取ることができる。
また、カード１をジャバラ状カード収容部３４に収容する場合も他のカード１に邪魔されることがないのでカード１を容易にジャバラ状カード収容部３４に収容することができる。
さらに、ジャバラ状カード収容部３４はハニカム状に形成されているので全てのジャバラ状カード収容部３４にカード１を収容した状態でジャバラ状カード収容部を設けた財布１０を閉じてもジャバラ状カード収容部を設けた財布１０の厚みが厚くなるのを抑えることができる。
なお、図２に示されるようにジャバラ状カード収容部３４に１枚づつカード１を収容するのでカード１をジャバラ状カード収容部３４に収容する場合にカード１がジャバラ状カード収容部３４と強く接触したり、カード１同士が強く擦れ合ってカード１が損傷することを防止できる。
なお、前記ジャバラ状カード収容部３４は複数設けられているので、使用するカード１をカード１の種類毎に複数のジャバラ状カード収容部３４に分けて収容することができるので、多種多様のカード１を多数所有していてもカード１を整理して所有することができ、カード１の保管、管理にも便利である。
また、カード１を収容し終わった場合やカード１を取り出した場合はファスナースライダー２２をスライドさせて財布ケース体１２を閉じればカード１が脱落するのを確実に防止することができる。
【００１１】
図４にはジャバラ状カード収容部を設けた財布の第２実施例が記載されている。なお、第１実施例のジャバラ状カード収容部を設けた財布１０と同一の構成は同一の符号を用いてその説明を省略する。
第２実施例のジャバラ状カード収容部を設けた財布５０の財布ケース体５２は財布ケース体折曲部５４を介して第１財布ケース部５６と第２財布ケース部５８が連続形成されている。この第１財布ケース部５６は第２財布ケース部５８よりも大きく形成され、第１財布ケース部５６の端部５６Ａは前記第２財布ケース部５８をカバーすることができるようになっている。また、第１財布ケース部５６の先端部にはボタン６０が固定されており第２財布ケース部５８に固定されたボタン（図示せず）と嵌合可能になっている。
また、第２札入部６２にはファスナー６４が取り付けられている。従って、ファスナー６４のファスナースライダー６６をスライドさせることにより、前記第２札入部６２を開閉できるようになっている。
なお、他の作用、効果は第１実施例のジャバラ状カード収容部を設けた財布１０と同一であるので、説明は省略する。
【００１２】
なお、ジャバラ状カード収容部を設けた財布１０は複数のジャバラ状カード収容部３４を備えているが、ジャバラ状カード収容部３４の数は実施例で示す数に限定されないことは勿論である。
【産業上の利用可能性】
【００１３】
本考案のジャバラ状カード収容部を設けた財布は、カード以外のものを収容する場合にも使用することができる。
【符号の説明】
【００１４】
１０    ジャバラ状カード収容部を設けた財布
１２    財布ケース体
１４    財布ケース体折曲部
１６    第１財布ケース部
１８    第２財布ケース部
２０    ファスナー
２２    ファスナースライダー
２４    財布本体
２６    第１札入部
２８    第２札入部
３０    ジャバラ状カード収容体
３２    ジャバラ状マチ部
３４    ジャバラ状カード収容部
３６    ポケット
３８    ファスナー
４０    ファスナースライダー
【図１】
0003162467.tif 000003
【図２】
0003162467.tif 000004
【図３】
0003162467.tif 000005
【図４】
0003162467.tif 000006